(57)【要約】      （修正有）【課題】簡易な構造でフィルタを操作することができ、水の浸入を防止しつつ通気又は通音を行い筺体の内外の圧力差を調節することができる圧力差調節構造体及びマスクを提供する。【解決手段】筺体６０の内部と外部との圧力差を調節するために前記筺体の壁部６１に貫通形成された通気孔形成部６５に、防水性及び通気性を有する防水通気膜３０が着脱可能に設けられた圧力差調節構造体において、前記防水通気膜は、通気口を備えた第１保持部材１０と通気口を備えた第２保持部材４０とによって挟持され、前記第１保持部材及び前記第２保持部材は一体となって前記通気孔形成部に設けられ、前記第１保持部材を前記通気孔形成部に対して回動操作することにより、前記防水通気膜は前記通気孔形成部に対して着脱されることを特徴とする圧力差調節構造体により解決される。【選択図】        図３
2004253656.tif 000002
【特許請求の範囲】
【請求項１】
筺体の内部と外部との圧力差を調節するために前記筺体の壁部に貫通形成された通気孔形成部に、防水性及び通気性を有する防水通気膜が着脱可能に設けられた圧力差調節構造体において、
前記防水通気膜は、通気口を備えた第１保持部材と通気口を備えた第２保持部材とによって挟持され、
前記第１保持部材及び前記第２保持部材は一体となって前記通気孔形成部に設けられ、
前記第１保持部材を前記通気孔形成部に対して回動操作することにより、前記防水通気膜は前記通気孔形成部に対して着脱されることを特徴とする圧力差調節構造体。
【請求項２】
前記第１保持部材と前記第２保持部材が前記防水通気膜を挟持している夫々の面の重ね合わせを維持しつつ、重なり合う向きを変えることにより、
前記第１保持部材の前記通気口と前記第２保持部材の前記通気口とが重なり合う部分の面積が調節されることを特徴とする請求項１記載の圧力差調節構造体。
【請求項３】
前記第１保持部材と前記第２保持部材との間に防水手段を備えたことを特徴とする請求項１又は２記載の圧力差調節構造体。
【請求項４】
第１の通気口を有する第１部材と、
第１の位置関係及び第２の位置関係で前記第１部材と嵌合可能な第２の通気口を有する部材であって、前記第１の通気口と前記第２の通気口とが前記第１の位置関係で対面して第１の通気量を確保でき、前記第１の通気口と前記第２の通気口とが前記第２の位置関係で対面して第２の通気量を確保できる第２部材と、
前記第１部材と前記第２部材との間に挟まれたフィルタと、
を備えた通気量化変なフィルタ挟持体が通気口に取り外し可能に嵌合したことを特徴とするマスク。
【請求項５】
第１の通気口を有する第１部材と、
凹凸関係により、略第１の位置関係、略第２の位置関係の何れについても出前記第１部材と固定可能な第２の通気口を有する部材であって、前記第１の通気口と前記第２の通気口とが前記第１の位置関係で対面して第１の通気量を確保でき、前記第１の通気口と前記第２の通気口とが前記第２の位置関係で対面して第２の通気量を確保できる第２部材と、
前記第１部材と前記第２部材との間に挟まれたフィルタと、
を備えた通気量化変なフィルタ挟持体を螺合により取り付けたことを特徴とするマスク。
【発明の詳細な説明】
【０００１】
【発明の属する技術分野】
本発明は、圧力差調節構造に関し、特に、密閉構造を備えた筐体の内部と外部の圧力差を調節するための圧力差調節構造に関する。
【０００２】
【従来の技術】
屋外で使用される電子機器、航空機等に搭載される電子機器、スピーカ等は、防水性を要求されるため、密閉構造を備えた筐体の内部に当該電子機器等が収容される。
【０００３】
しかし、使用環境の温度変化、又は動作時における前記電子機器に実装された電子部品からの発熱による前記筐体の内部の温度上昇等に起因して、密閉構造を備えた前記筐体の内外の温度差に基づく圧力差が発生する。また、前記電子機器等を使用する高度の変化により、前記筺体の内部及び外部に気圧差が発生する。かかる圧力差により、前記筐体の内部に収容された電子機器等の動作不良や前記筺体の破損や破壊等を招くおそれがあった。また、前記電子機器等を使用する高度の変化により、前記筺体の内部及び外部に気圧差が発生することがあった。
【０００４】
そのため、前記筐体内部に、防水性を有したまま通気又は通音を行うことができるフィルタ（以下「防水フィルタ」という）を用いた圧力差調節構造を設け、前記筐体の内部と周囲環境の圧力調節を行っていた。かかる防水フィルタとしては、例えば、ＰＴＦＥ（ポリテトラフルオロエチレン）樹脂を素材とした連続多孔質フィルタが用いられる。
【０００５】
図１及び図２には、従来の圧力差調節構造（例えば、特許文献１参照）が示されている。ここで、図１は、従来の圧力差調節構造の第１の例を示す図であって、（ａ）は分解斜視図であり、（ｂ）は（ａ）のＡ−Ａ断面図である。図２は、従来の圧力差調節構造の第２の例を示す分解斜視図である。
【０００６】
図１を参照するに、従来の圧力差調節構造は、フィルタ保持体３と、パッキン４と、フィルタ５と、フィルタ固定体６等で大略構成される。かかる圧力差調節構造は以下の手順によって、筐体１の連通孔部１−１に設けられる。
【０００７】
まず、通気性又は通音性のあるフィルタ５が、フィルタ保持体３の内部に形成されている段部３−１に載置される。続いて、フィルタ固定体６をフィルタ保持体３の内部に圧入して、フィルタ５がフィルタ保持体３内に固定される。
【０００８】
次に、フィルタ固定体６の上面のテーパ部６−１の周囲に防水手段として固着剤８が塗布される。これによって、フィルタ保持体３とフィルタ固定体６が接する部分の防水性が確保される。パッキン４は、筺体１の連通孔部１−１とフィルタ保持体３とが螺合する間に挟み込まれている。
【０００９】
フィルタ保持体３の雄ねじ部３−２を、筐体１の連通孔部１−１に設けられた図示を省略する雌ねじ部と螺合させて、フィルタ５を筐体１の連通孔部１−１に固定する。このようにして、圧力差調節構造が筐体１に設けられる。
【００１０】
次に、従来の圧力差調節構造の別の例を説明する。
【００１１】
図２を参照するに、この例における構造では、上述の図１に示した例と略同じ構成であるが、以下の点で両者は相違する。即ち、図１に示した例では、フィルタ固定体６の上面のテーパ部６−１の周囲に固着剤８が塗布されて防水性が確保されている。一方、図２に示す例ではフィルタ５がフィルタ保持体３と接する部分、及びフィルタ５がフィルタ固定体６と接する部分に、夫々パッキン２が挟み込まれ、これによって一応の防水性が確保される。
【００１２】
なお、そのほかの従来の技術として、押え板を筐体の外側から固定したときに、防水ゴムによりフィルタを押える構造を採用しているものもある（例えば、特許文献２参照）。
【００１３】
【特許文献１】
特開２００１−２４３５３（第３−４頁、第３図、第６図）
【００１４】
【特許文献２】
特開２００１−２３７５６８（第３−４頁、第１図）
【００１５】
【発明が解決しようとする課題】
しかしながら、図１に示す従来の圧力差調節構造では、フィルタ５を交換する度に、フィルタ固定体６の上面のテーパ部６−１の周囲に塗布した固着剤８を取り除くという煩雑な作業が必要であった。そのため、例えばフィルタ５が破損した場合又はフィルタ５が目詰まりして性能が低下した場合等に、フィルタ５の交換作業に長時間を要していた。
【００１６】
また、図２に示す従来の圧力差調節構造においては、確実な防水性を得るためには、ねじ等を用いて固定する等、フィルタ固定体６をパッキン２のある方向に押さえつけることが必要となる。そのため、構造が複雑となってしまうという問題があった。更に、フィルタ固定体６をフィルタ保持体３に押さえつけるために各々に螺子溝を設けて螺合する構造とした場合には、当該螺合の際に、フィルタ５に力が加わり、フィルタ５の破損を招くおそれがあった。
【００１７】
また、図１及び図２に示す構造では、防水性に加えて通気性又は通音性を必要とする電子機器等にあっては、フィルタ５の通気性又は通音性の調節を容易に行うことはできなかった。
【００１８】
そこで、本発明の目的は、上記問題に鑑みてなされたものであり、簡易な構造でフィルタを操作することができ、水の浸入を防止しつつ通気又は通音を行い筺体の内外の圧力差を調節することができる圧力差調節構造を提供することにある。
【００１９】
【課題を解決するための手段】
上記目的は、筺体の内部と外部との圧力差を調節するために前記筺体の壁部に貫通形成された通気孔形成部に、防水性及び通気性を有する防水通気膜が着脱可能に設けられた圧力差調節構造体において、前記防水通気膜は、通気口を備えた第１保持部材と通気口を備えた第２保持部材とによって挟持され、前記第１保持部材及び前記第２保持部材は一体となって前記通気孔形成部に設けられ、前記第１保持部材を前記通気孔形成部に対して回動操作することにより、前記防水通気膜は前記通気孔形成部に対して着脱されることを特徴とする圧力差調節構造体により達成される。
【００２０】
また、前記第１保持部材と前記第２保持部材が前記防水通気膜を挟持している夫々の面の重ね合わせを維持しつつ、重なり合う向きを変えることにより、前記第１保持部材の前記通気口と前記第２保持部材の前記通気口とが重なり合う部分の面積が調節されることとしてもよい。
【００２１】
本発明の圧力差調節構造体は、圧力差調節構造を備えたもの全般を含むものであり、例えば、マスク等に適用することができる。
【００２２】
従って、前記目的は、第１の通気口を有する第１部材と、第１の位置関係及び第２の位置関係で前記第１部材と嵌合可能な第２の通気口を有する部材であって、前記第１の通気口と前記第２の通気口とが前記第１の位置関係で対面して第１の通気量を確保でき、前記第１の通気口と前記第２の通気口とが前記第２の位置関係で対面して第２の通気量を確保できる第２部材と、前記第１部材と前記第２部材との間に挟まれたフィルタと、備えた通気量化変なフィルタ挟持体が通気口に取り外し可能に嵌合したことを特徴とするマスクにより達成される。また、前記目的は、第１の通気口を有する第１部材と、凹凸関係により、略第１の位置関係、略第２の位置関係の何れについても出前記第１部材と固定可能な第２の通気口を有する部材であって、前記第１の通気口と前記第２の通気口とが前記第１の位置関係で対面して第１の通気量を確保でき、前記第１の通気口と前記第２の通気口とが前記第２の位置関係で対面して第２の通気量を確保できる第２部材と、前記第１部材と前記第２部材との間に挟まれたフィルタと、を備えた通気量化変なフィルタ挟持体を螺合により取り付けたことを特徴とするマスクにより達成される。
【００２３】
ここで、前記マスクにおいて、第１部材は、例えば後述するフィルタ固定部材４０、第２部材は、例えば後述するフィルタ押え部材１０、第１の通気口は、例えば後述するフィルタ固定部材４０の通気口４４、第２の通気口は、例えば後述するフィルタ押え部材１０の通気口１４、第１及び第２の位置関係は、例えば後述する通気口１４と通気口４４との重なりの関係を意味する。また、前記マスクにおいて、フィルタは、例えば後述するフィルタ３０、フィルタ挟持体が取り外し可能に嵌合する通気口は、例えば後述する通気孔形成部６５、凹凸関係は、例えば固定孔形成部１５−１乃至１５−６と固定突起部４５−１又は４５−２との関係を意味する。
【００２４】
【発明の実施の形態】
以下、図面を参照して本発明の実施の形態について説明する。
【００２５】
図３は、本発明に係る圧力差調節構造体の分解断面図である。図３を参照するに、本発明に係る圧力差調節構造体は、第１保持手段として機能するフィルタ押え部材１０と、防水手段として機能するパッキン２０と、防水通気膜として機能するフィルタ３０と、第２保持部材として機能するフィルタ固定部材４０、防水手段として機能するＯリング５０等から大略構成される。
【００２６】
後述する取り付け手順に基づき、かかる圧力差調節構造体は筐体６０に取り付けられる。筺体６０の壁部６１には、第１通気孔形成部６５−１と第１通気孔形成部６５−１よりも開口径が小さい第２通気孔形成部６５−２とから大略構成される通気孔形成部６５が貫通形成されている。通気孔形成部６５を介して、筐体６０の内外を通気することができる。第１通気孔形成部６５−１の内周側面６２には、雌螺子部６６が螺刻されている。
【００２７】
次に、フィルタ押え部材１０の構造について説明する。図４は、図３に示すフィルタ押え部材１０の平面図である。
【００２８】
図３及び図４を参照するに、平面が略円形であるフィルタ押え部材１０の外周部分は鉛直方向に僅かに折曲し、接続部１１が形成されている。接続部１１の外側面には雄螺子部１２が螺刻されている。フィルタ押え部材１０を筐体６０の連通孔形成部６５に対して回動操作し、フィルタ押え部材１０の雄螺子部１２と筐体６０の雌螺子部６６とが螺合することにより、フィルタ押え部材１０は連通孔形成部６５に接続される。
【００２９】
フィルタ押え部材１０の上面の略中央には、把持部１３が鉛直方向に形成されている。上述したフィルタ押え部材１０を筐体６０の連通孔形成部６５に対して回動操作する際に、操作者の指でフィルタ押え部材１０の把持部１３が把持される。
【００３０】
また、フィルタ押え部材１０の上面には、前記把持部１３を対象線にして２つの通気口１４が線対称に設けられている。通気口１４は、フィルタ押え部材１０の上面と下面とを貫通している。フィルタ押え部材１０が通気孔形成部６５に取り付けられると上述の筐体６０の通気孔形成部６５と同様に、通気口１４を介して、筐体６０の内外は通気される。
【００３１】
フィルタ押え部材１０の上面であってフィルタ押え部材１０の外周部分に設けられている接続部１１の近傍であって内周側には、３つの固定孔形成部１５−１乃至１５−３が、夫々所定の間隔を設けて形成されている。また、略円形を有するフィルタ押え部材１０の上面の中心を基準として１８０度離間した位置には、３つの固定孔形成部１５−４乃至１５−６が、夫々所定の間隔を設けて形成されている。後述するが、固定孔形成部１５−１乃至１５−３に、図３に示すフィルタ固定部材４０の固定突起部４５−１を嵌挿し、固定孔形成部１５−４乃至１５−６に、図３に示すフィルタ固定部材４０の固定突起部４５−２を嵌挿することにより、フィルタ固定部材４０をフィルタ押え部材１０に取り付け、両者を一体にすることができる。
【００３２】
次に、パッキン２０の構造について説明する。図５は、図３に示すパッキン２０の平面図である。
【００３３】
図３及び図５を参照するに、パッキン２０は、裏面には図示を省略するシール等の接着部を有し、かかる接着部によりフィルタ押え部材１０の下面に接着されている。
【００３４】
パッキン２０は、平面が略円形の形状を有し、内部に、フィルタ押え部材１０に形成された２つの通気口１４と同様に、２つの通気口２４が形成されている。但し、フィルタ押え部材１０の通気口１４の開口を確保するために、パッキン２０及び２つの通気口２４は、フィルタ押え部材１０の通気口１４を塞がない形状及び大きさになっている。
【００３５】
具体的には、パッキン２０の面積は、フィルタ押え部材１０の下面の面積よりも僅かに小さいものの、パッキン２０の通気口２４の形状及び大きさは、フィルタ押え部材１０の通気口１４と略同じ形状及び大きさであり、パッキン２０の通気口２４はフィルタ押え部材１０の通気口１４と同じ位置に設けられている。
【００３６】
従って、パッキン２０は、フィルタ押え部材１０の通気口１４を除いて、フィルタ押え部材１０の下面に密着しており、パッキン２０がフィルタ押え部材１０と接する面積が最大限に大きくされており、本発明に係る圧力差調節構造体における防水性が最大限に高められている。
【００３７】
但し、パッキン２０は、本発明に係る圧力差調節構造体における防水手段として機能するものであり、かかる機能を有する限り上述の構造に限られず、後述するＯリングと略同じ構造であってもよい。
【００３８】
次に、フィルタ３０の構造について説明する。図６は、図３に示すフィルタ３０の平面図である。
【００３９】
図３及び図６を参照するに、フィルタ３０は、後述するフィルタ固定部材４０に載置され、前述のパッキン２０を介して、フィルタ押え部材１０とフィルタ固定部材４０との間に挟持される。
【００４０】
フィルタ３０は、防水通気膜として機能し、例えば、通気性を有する防水フィルタであり、ＰＴＦＥ（ポリテトラフルオロエチレン）樹脂を素材とした連続多孔質フィルタにより構成される。但し、フィルタ３０は、所望の防水性及び通気性が確保されればこれに限定されない。一般に、防水性の高いフィルタは通気性が低く、防水性の低いフィルタは通気性が高い。このため、使用する機器の仕様に応じてフィルタを選定すればよい。
【００４１】
次に、フィルタ固定部材４０の構造について説明する。図７は、図３に示すフィルタ固定部材４０の平面図である。
【００４２】
図３及び図７を参照するに、フィルタ固定部材４０は、平面が略円形の形状を有する。フィルタ固定部材４０の上面には、前述のようにフィルタ３０が載置される。
【００４３】
フィルタ固定部材４０の上面の内部には、前述のフィルタ押え部材１０に形成された２つの通気口１４及びパッキン２０の通気口２４と同様に、通気口１４及び通気口２４と略同じ形状及び大きさを備えた２つの通気口４４が形成されている。
【００４４】
更に、フィルタ固定部材４０の外周であって、フィルタ固定部材４０の平面の中心を基準として１８０度離間した位置には、２つの固定突起部４５−１及び４５−２が鉛直方向に折曲して設けられている。また、固定突起部４５−１及び４５−２の平断面の断面積は、前述のフィルタ押え部材１０の固定孔形成部１５−１乃至１５−６の開口面積と略等しい又は僅かに小さい。
【００４５】
従って、固定孔形成部１５−１乃至１５−３にフィルタ固定部材４０の固定突起部４５−１を嵌挿し、固定孔形成部１５−１乃至１５−３にフィルタ固定部材４０の固定突起部４５−２を嵌挿することにより、フィルタ固定部材４０をフィルタ押え部材１０に取り付けることができ、フィルタ固定部材４０の平面に載置されたフィルタ３０を、パッキン２０を介して挟持することができる。
【００４６】
ここで、上述のように、フィルタ固定部材４０の２つの通気口４４は、フィルタ押え部材１０に形成された２つの通気口１４と略同じ形状及び大きさを備えている。
【００４７】
従って、後述するが固定突起部４５−１の嵌挿対象をフィルタ押え部材１０の固定孔形成部１５−１乃至１５−３において変え、対応して固定突起部４５−２の嵌挿対象を対応する固定孔形成部１５−４乃至１５−６において変えることによって、フィルタ押え部材１０とフィルタ固定部材４０の重ね合わせの向きが変わり、フィルタ押え部材１０の通気口１４とフィルタ固定部材４０の通気口４４とが重なり合う部分、即ち、通気可能な部分の面積を調節することができる。
【００４８】
また、フィルタ押え部材１０の固定孔形成部１５−１乃至１５−６に対してフィルタ固定部材４０の固定突起部４５−１及び４５−２が鉛直方向に嵌挿されるため、前述のように、フィルタ押え部材１０を筐体６０の連通孔形成部６５に対して回動操作しても、当該嵌挿は解除されることはなく、前記通気可能な部分の面積を確実に維持することができる。更に、当該回動操作を行っても、フィルタ３０自体には回動する力が加わらず、フィルタ３０の破損を防止することができる。
【００４９】
なお、フィルタ押え部材１０とフィルタ固定部材４０の重ね合わせの向きの変更の手順については後述する。
【００５０】
次に、Ｏリング５０について説明する。図８は、図３に示すＯリング５０の平面図である。
【００５１】
図３及び図８を参照するに、Ｏリング５０は、断面が円であるゴム製の環状構造を備える。Ｏリング５０は、本発明に係る圧力差調節構造体における防水手段として機能するものであり、かかる機能を備える限り上述の構造に限られない。即ち、フィルタ押え部材１０の通気口１４の開口を確保すべくフィルタ押え部材１０の通気口１４を塞がない形状及び大きさを備えて防水できる限り、構造に特に限定はない。
【００５２】
Ｏリング５０は、筐体６０に形成された第１通気孔形成部６５−１の開口部分の周囲に窪んで形成されたＯリング取り付け部６７に嵌設される。
【００５３】
次に、上述のフィルタ押え部材１０、パッキン２０、フィルタ３０、フィルタ固定部材４０、Ｏリング５０等から大略構成される圧力差調節構造体の、筐体６０の壁部６１に形成された通気孔形成部６５への取り付け手順について、図３及び図９を参照して説明する。
【００５４】
図９は、本発明に係る圧力差調節構造体を筐体６０に形成された通気孔形成部６５に取り付ける際の状態を示す断面図である。
【００５５】
図３及び図９を参照するに、先ず、Ｏリング５０を、筐体６０の第１通気孔形成部６５−１の周囲に窪んで形成されたＯリング取り付け部６７に嵌設する。
【００５６】
続いて、フィルタ３０を、フィルタ固定部材４０の平面に載置する。このとき、シール等の接着部材を用いて、フィルタ３０の外周部をフィルタ固定部材４０に接着してもよい。これによって、本発明に係る圧力差調節構造体の防水性を一層高めることができる。
【００５７】
次に、筐体６０の第２通気孔形成部６５−２の開口部分を塞ぐように、フィルタ３０が載置されたフィルタ固定部材４０を第２通気孔形成部６５−２の開口部分に載置する。このとき、図７を参照して説明したように、フィルタ固定部材４０には２つの通気口４４が形成されており、フィルタ３０を介して通気することができる。
【００５８】
次に、フィルタ押え部材１０の固定孔形成部１５−１乃至１５−３にフィルタ固定部材４０の固定突起部４５−１を、固定孔形成部１５−４乃至１５−６にフィルタ固定部材４０の固定突起部４５−２を、夫々組み合わせて嵌挿する。これにより、フィルタ押え部材１０はフィルタ固定部材４０に重ね合わせて取り付けられ、両者が一体となる。
【００５９】
上述のように、フィルタ押え部材１０の下面にはパッキン２０が接着されているため、フィルタ固定部材４０の平面に載置されたフィルタ３０は、パッキン２０を介して挟持されることになる。
【００６０】
次に、フィルタ押え部材１０とフィルタ固定部材４０とが一体となった状態で、操作者が指でフィルタ押え部材１０の把持部１３が把持して、フィルタ押え部材１０を筐体６０の連通孔形成部６５に対して回動操作する。
【００６１】
このとき、フィルタ固定部材４０の固定突起部４５−１及び４５−２の鉛直方向の高さＢは、筐体６０の雌螺子部６６が螺刻されている第１通気孔形成部６５−１の内周側面６２の鉛直方向の長さＣよりも大きく設定されている。従って、フィルタ押え部材１０とフィルタ固定部材４０とが一体となった状態で、フィルタ押え部材１０の連通孔形成部６５に対する回動操作を容易に行うことができる。
【００６２】
前記回動操作により、フィルタ押え部材１０の接続部１１の外側面に螺刻された雄螺子部１２が筐体６０の雌螺子部６６と螺合し、フィルタ固定部材４０と一体となったフィルタ押え部材１０が筐体６０の連通孔形成部６５に接続される。
【００６３】
フィルタ押え部材１０の雄螺子部１２と筐体６０の雌螺子部６６との螺合により、フィルタ固定部材４０及びフィルタ押え部材１０から、下向きに、即ち、筐体６０の連通孔形成部６５方向に押す力が確実に作用し、パッキン２０及びＯリング５０が十分に押圧され、圧力差調節構造体における確実な防水性が確保される。
【００６４】
特に、操作者が指でフィルタ押え部材１０の把持部１３が把持して、フィルタ押え部材１０を筐体６０の連通孔形成部６５に対して回動操作するだけで、フィルタ３０、パッキン２０、及びＯリング５０を確実に固定することができため、例えば、固着剤を用いて取り付けたり又は上方から螺子等の接合部材を取り付けてフィルタ３０、パッキン２０、及びＯリング５０を固定するよりも取り付け操作が容易であり、また、特別な工具等を用いることなく簡便にフィルタ３０を取り付けることができ、更には防水性も確実である。
【００６５】
但し、本発明は上述の把持部１３を備えた構造には限られない。例えば、圧力差調節構造体が小型であって、操作者が手で前記回動操作をしにくい場合には、把持部１３の代わりに、回動操作を補助する補助部材として機能するドライバの先端を取り付けることができる溝部をフィルタ押え部材１０の上面に形成し、当該ドライバを用いて回動操作することとしてもよい。
【００６６】
また、フィルタ押え部材１０とフィルタ固定部材４０は、一体となって、筐体６０に取り付けられるため、当該取り付けの際に、フィルタ押え部材１０とフィルタ固定部材４０とに挟持されたフィルタ３０に捩れや破損が発生することを回避することができ、好適である。
【００６７】
以上の手順によって、フィルタ３０を挟持するフィルタ押え部材１０とフィルタ固定部材４０とを一体として筐体６０に螺合することにより、容易に、フィルタ３０、パッキン２０、及びＯリング５０を固定することができる。なお、フィルタ３０の破損や目詰り等の発生により、フィルタ３０の交換や取り外し等が必要な場合にも、上述の操作と逆の操作を行い、フィルタ押え部材１０を通気孔形成部６５から取り外すことによって、当該交換や取り外しが可能となる。
【００６８】
かかる圧力差調節構造体により、使用環境の温度変化、又は動作時における前記電子機器に実装された電子部品からの発熱による筐体６０の内部の温度上昇等に起因して、密閉構造を備えた筐体６０の内外の温度差に基づく圧力差が発生したり、筺体６０に収容された電子機器等を使用する高度の変化により前記筺体の内部及び外部に気圧差が発生しても、水の進入を防ぎつつ、通気を行い、筐体６０の内外の圧力差をなくすことができる。
【００６９】
次に、フィルタ押え部材１０とフィルタ固定部材４０の重ね合わせの向きの変更の手順について説明する。
【００７０】
本発明に係る圧力差調節構造体では、所望の通気性又は通音性を得るべく、以下の手順によって、通気性又は通音性の調節が図られている。図１０は、本発明に係る圧力差調節構造体における通気性又は通音性の調節の手順を説明するための図である。
【００７１】
先ず、図３、図４及び図７を参照するに、上述したように、フィルタ固定部材４０の２つの通気口４４は、フィルタ押え部材１０に形成された２つの通気口１４と略同じ形状及び大きさを備えている。また、フィルタ固定部材４０の固定突起部４５−１の嵌挿対象はフィルタ押え部材１０の固定孔形成部１５−１乃至１５−３であり、対応して、フィルタ固定部材４０の固定突起部４５−２の嵌挿対象は対応するフィルタ押え部材１０の固定孔形成部１５−４乃至１５−６である。
【００７２】
仮に、フィルタ３０を筐体６０に取り付ける際に、フィルタ固定部材４０の固定突起部４５−１をフィルタ押え部材１０の固定孔形成部１５−１に嵌挿し、フィルタ固定部材４０の固定突起部４５−２をフィルタ押え部材１０の固定孔形成部１５−４に嵌挿したとする。この場合、フィルタ固定部材４０の通気口４４は完全にフィルタ押え部材１０の通気口１４に重なっており、通気口４４及び通気口１４の全開口部分で通気可能となっている。
【００７３】
その後に、通気性又は通音性の調節が必要となったとする。この場合、先ず、フィルタ固定部材４０と一体となっているフィルタ押え部材１０を回動操作し、フィルタ押え部材１０と筐体６０との螺合を解除する。次いで、図１０に示すように、固定突起部４５−１の嵌挿対象を固定孔形成部１５−１から固定孔形成部１５−３に変え、固定突起部４５−２の嵌挿対象を対応する固定孔形成部１５−４から固定突起部１５−６に変える。
【００７４】
その結果、フィルタ押え部材１０とフィルタ固定部材４０の重ね合わせの向きが変わり、フィルタ押え部材１０の通気口１４とフィルタ固定部材４０の通気口４４とが重なり合う部分、即ち、通気可能な部分は、図１０において梨地模様を付した部分となる。
【００７５】
このようにして、固定突起部４５−１の嵌挿対象をフィルタ押え部材１０の固定孔形成部１５−１乃至１５−３において変え、対応して、固定突起部４５−２の嵌挿対象を対応する固定孔形成部１５−４乃至１５−６において変えることによって、フィルタ押え部材１０の通気口１４とフィルタ固定部材４０の通気口４４とが重なり合う部分、即ち、通気可能な部分の面積を調節することができる。このため、フィルタ３０の種類を交換することなく、容易に、機器の通気性又は通音性を調節することができる。
【００７６】
本実施形態では、固定突起部４５−１の嵌挿対象は、フィルタ押え部材１０の固定孔形成部１５−１乃至１５−３の３つであり、対応して、固定突起部４５−２の嵌挿対象は対応する固定孔形成部１５−４乃至１５−６の３つであるため、フィルタ押え部材１０の通気口１４とフィルタ固定部材４０の通気口４４とが重なり合う部分の面積、即ち、通気可能な部分の面積を３段階に調節することができる。但し、上述のように、本発明では固定孔形成部１５−１乃至１５−６の個数に限定はないため、固定孔形成部の数を多くすればするほど、通気可能な部分の面積をより多段階に調節することができる。
【００７７】
次に、本発明に係る圧力差調節構造体を適用した例を説明する。以下では、防護マスク装着検知器に本発明に係る圧力差調節構造体を適用した例を説明する。
【００７８】
ここで、防護マスク装着検知器とは、毒性の高い化学物質が散布された又は散布されるおそれがある場所に出動する者の安全を守る防護マスクの装着状態、防護マスク装着者の呼吸状態、又は防護マスクに使用される吸収フィルタの交換時期等を簡易な手段で検知して防護マスク装着者などに通知する機能を備えた検知器である。
【００７９】
図１１は、本発明に係る圧力差調節構造体を適用した防護マスク装着検知器７０を備えた防護マスク９０の外観構成図である。
【００８０】
図１１を参照するに、防護マスク９０は、防護マスク装着検知器７０と覆面部８０等から大略構成されている。防護マスク装着検知器７０は、上底及び下底がない円柱形状の覆面連結部７１（図１２を用いて後述する）の外側側面に螺刻された雄ねじと、覆面部８０に設けられた検知器連結部８１の内側側面に螺刻された雌ねじとの螺合によって、覆面部８０に連結される。
【００８１】
図１２は、図１１に示す本発明に係る圧力差調節構造体を適用した防護マスク装着検知器７０の側面図である。
【００８２】
図１２を参照するに、防護マスク装着検知器７０は、周知の防護マスクに使用される吸収缶と略同一の円筒形状の缶７２を備える。缶７２は、前述の覆面連結部７１が上部に設けられた上部筐体部７４と、上部筐体部７４と螺合取り付けられる下部筐体部７６を備える。かかる下部筐体７６が、上述の本発明の圧力差調節構造体の筐体６０に相当し、下部筐体７６の下底に上述の本発明の圧力差調節構造体の通気孔形成部６５が形成されている。
【００８３】
図１３は、図１２に示す防護マスク装着検知器７０の缶７２の下部筐体７６を、図１２において矢印Ｄで示す方向に見た図である。図１３を参照するに、下部筐体７６の下底に形成された通気孔形成部６５は、網７７で覆われている。
【００８４】
図１４は、図１２に示す防護マスク装着検知器７０の内部構造を説明するための図であり、（ａ）は上部筐体部７４と下部筐体部７６との螺合を解除した状態を示しており、（ｂ）は下部筐体部７６の内部構造を示している。
【００８５】
図１４−（ａ）を参照するに、防護マスク９０の装着者の呼吸に伴い、上部筐体部７４と下部筐体部７６の通気は、図１４−（ａ）において矢印で示すように、下部筐体部７６側から上部筐体部７４側へと、即ち、下から上へ流れる。
【００８６】
また、図１４−（ｂ）を参照するに、下部筺体部７６の内部において、下部筺体部７６の下底に形成された通気孔形成部６５には、周知の防護マスクに使用される吸収缶に用いられるフィルタの通気抵抗と略同等に模擬した防水フィルタ３００と、前述のフィルタ押え部材１０と、パッキン２０と、フィルタ固定部材４０、Ｏリング５０等で大略構成される本発明に係る圧力差調節構造体が設けられている。かかる圧力差調節構造体は、図１４−（ｂ）において矢印で示すように前述の回動操作を行って下部筺体部７６の内部に取り付けられる。なお、防護マスク装着検知器７０に適用される圧力差調節構造体は、図３乃至１０を用いて説明した構造と同じであるためその説明は省略する。
【００８７】
防護マスク装着検知器７０に使用される防水フィルタ３００は、防護マスク装着検知器７０を図１１に示す覆面部８０に連結して訓練を行なう際に、周知の吸収缶を覆面部８０に連結して訓練又は出動する時と同じ呼吸の苦しさを防護マスク装着者に感じさせるとともに、防護マスク装着検知器７０の内部に設けられている機能ブロックを水の浸入から防護する役割を果たす。
【００８８】
また、上述のように、防護マスク装着検知器７０は周知の防護マスクに取り付けられる吸収缶の形状を模擬したものであり、その通気性、即ち、防護マスクを装着した者の呼吸の苦しさについても、当該吸収缶と同程度であることが要求される。
【００８９】
防護マスク装着検知器７０の使用頻度が増えて、通気孔形成部分６５の近傍に設けられた防水フィルタ３００に目詰りが発生すると、その通気性が規定値以下になる。上述のように、防護マスク装着検知器７０は厳密な通気性が要求されており、上述の本発明に係る圧力差調節構造体を使用することにより、防水フィルタ３００を交換することなく使用の目的に応じて通気面積を調節することができ、所望の通気性を確保することができる。このため、防水フィルタ３００を交換する頻度が減少し、防水フィルタ３００を節約することが可能となる。
【００９０】
更に、仮に防水フィルタ３００に破損等が発生し交換が必要となった場合においても、本発明の圧力差調節構造体によれば、交換作業は容易であり、短時間で行うことができる。
【００９１】
ところで、上述の実施形態では、本発明に係る圧力差調節構造体を防護マスク装着検知器７０に適用した例を説明したが、本発明はこれに限られない。例えば屋外で使用する電子機器、航空機等に搭載される電子機器、スピーカ、換気扇等、防水性及び通気又は通音性が要求され密閉構造を備えた筐体に取り付けられる他の場合にも適用することができる。
【００９２】
上述の防護マスク装着検知器７０に本発明に係る圧力差調節構造体を適用する場合には、上述のように、上部筐体部７４を開けて、下部筐体部７６の内部側から本発明に係るフィルタ押え部材１０等を取り付けることができる。一方、例えば、航空機等に搭載される電子機器等では、筐体６０の外部側から取り付けなければならないことがある。この場合であっても、本発明の圧力差調節構造体を適用することができる。
【００９３】
また、使用の態様によっては、筐体６０の外部側からフィルタ３０に接触することが許されない場合がある。かかる場合には、図１５に示す本発明に係る圧力差調節構造体の変形例を採用することができる。ここで、図１５は、本発明に係る圧力差調節構造体の変形例を筐体６０に形成された第１通気孔形成部６５−１に取り付けた状態を示す断面図である。
【００９４】
図１５を参照するに、本発明に係る圧力差調節構造体の変形例では、フィルタ３０を保護するための保護用ネット７０が、フィルタ押え部材１０の上方に、筐体６０に形成された通気孔形成部６５の開口部分を塞ぐように設けられている。保護用ネット７０は、例えば、プラスチックや金属のメッシュ等から成る。また、保護用ネット７０は、フィルタ３０よりも十分に通気性が高いものが望ましい。
【００９５】
かかる保護用ネット７０を設けることにより、筐体６０の外部からフィルタ押え部材１０の内部に塵芥等が入り込んでフィルタ３０が破損してしまうことを防止でき、筐体６０の外部側からフィルタ押え部材１０等を取り付ける場合であっても信頼性の高い圧力差調節構造体を提供することができる。
【００９６】
以上本発明の好ましい実施例について詳述したが、本発明は係る特定の実施形態に限定されるものではなく、特許請求の範囲に記載された本発明の要旨の範囲内において、種々の変形・変更が可能である。
【００９７】
なお、本発明は、以下に記載する付記のような構成が考えられる。
（付記１）  筺体の内部と外部との圧力差を調節するために前記筺体の壁部に貫通形成された通気孔形成部に、防水性及び通気性を有する防水通気膜が着脱可能に設けられた圧力差調節構造体において、
前記防水通気膜は、通気口を備えた第１保持部材と通気口を備えた第２保持部材とによって挟持され、
前記第１保持部材及び前記第２保持部材は一体となって前記通気孔形成部に設けられ、
前記第１保持部材を前記通気孔形成部に対して回動操作することにより、前記防水通気膜は前記通気孔形成部に対して着脱されることを特徴とする圧力差調節構造体。
（付記２）  前記第１保持部材の側面及び前記通気孔形成部の内部には夫々螺子部が形成されており、
前記第１保持部材を前記通気孔形成部に対し回動操作することにより前記第１保持部材は前記通気孔形成部に螺合されることを特徴とする付記１記載の圧力差調節構造体。
（付記３）  前記第１保持部材と前記第２保持部材が前記防水通気膜を挟持している夫々の面の重ね合わせを維持しつつ、重なり合う向きを変えることにより、前記第１保持部材の前記通気口と前記第２保持部材の前記通気口とが重なり合う部分の面積が調節されることを特徴とする付記１又は２記載の圧力差調節構造体。
（付記４）  前記第１保持部材は、前記第１保持部材の回動方向を含む面に固定孔形成部を備え、
前記第２保持部材は、前記第１保持部材の回動方向を含む面と垂直の方向に形成された固定突起部を備え
前記固定突起部を前記固定孔形成部に嵌挿することにより前記第１保持部材と前記第２保持部材とが一体となることを特徴とする付記１乃至３いずれか一項記載の圧力差調節構造体。
（付記５）  前記固定孔形成部は、前記第１保持部材における前記第１保持部材の回動方向を含む面に複数設けられ、
前記固定突起部の嵌挿対象である前記固定孔形成部を変えることにより、前記第１保持部材の前記通気口と前記第２保持部材の前記通気口とが重なり合う部分の面積が調節される付記４記載の圧力差調節構造体。
（付記６）  前記第１保持部材の回動方向を含む面と垂直の方向において、
前記固定突起部の長さは、前記通気孔形成部のうち前記第１保持部材と螺合される部分の長さよりも長いことを特徴とする付記４又は５記載の圧力差調節構造体。
（付記７）  前記第１保持部材と前記第２保持部材との間に防水手段を備えたことを特徴とする付記１乃至６いずれか一項記載の圧力差調節構造体。
（付記８）  前記第２保持部材と前記筺体との間に防水手段を備えたことを特徴とする付記１乃至７いずれか一項記載の圧力差調節構造体。
（付記９）  前記第１保持部材は、把持部を備え、
前記把持部を把持し、前記第１保持部材を前記通気孔形成部に対して回動操作することにより、前記防水通気膜は前記通気孔形成部に対して着脱されることを特徴とする付記１乃至８いずれか一項記載の圧力差調節構造体。
（付記１０）  前記第１保持部材は、前記第１保持部材の前記通気孔形成部に対する回動操作を補助する補助部材を取り付ける溝部を備えたことを特徴とする付記１乃至８いずれか一項記載の圧力差調節構造体。
（付記１１）  防護マスクの覆面部に連結される筺体を備え、
前記筺体の内部と外部との圧力差を調節するために前記筺体の壁部に貫通形成された通気孔形成部に防水性及び通気性を有する防水通気膜が着脱可能に設けられた圧力差調節構造体を前記筺体に設けた防護マスク装着検知器であって、
前記防水通気膜は、通気口を備えた第１保持部材と通気口を備えた第２保持部材とによって挟持され、
前記第１保持部材及び前記第２保持部材は一体となって前記通気孔形成部に設けられ、
前記第１保持部材を前記通気孔形成部に対して回動操作することにより、前記防水通気膜は前記通気孔形成部に対して着脱されることを特徴とする防護マスク装着検出器。
（付記１２）  前記第１保持部材と前記第２保持部材が前記防水通気膜を挟持している夫々の面の重ね合わせを維持しつつ、重なり合う向きを変えることにより、前記第１保持部材の前記通気口と前記第２保持部材の前記通気口とが重なり合う部分の面積が調節されることを特徴とする付記１１記載の防護マスク装着検出器。
（付記１３）  第１の通気口を有する第１部材と、
第１の位置関係及び第２の位置関係で前記第１部材と嵌合可能な第２の通気口を有する部材であって、前記第１の通気口と前記第２の通気口とが前記第１の位置関係で対面して第１の通気量を確保でき、前記第１の通気口と前記第２の通気口とが前記第２の位置関係で対面して第２の通気量を確保できる第２部材と、
前記第１部材と前記第２部材との間に挟まれたフィルタと、
を備えた通気量化変なフィルタ挟持体が通気口に取り外し可能に嵌合したことを特徴とするマスク。
（付記１４）    第１の通気口を有する第１部材と、
凹凸関係により、略第１の位置関係、略第２の位置関係の何れについても出前記第１部材と固定可能な第２の通気口を有する部材であって、前記第１の通気口と前記第２の通気口とが前記第１の位置関係で対面して第１の通気量を確保でき、前記第１の通気口と前記第２の通気口とが前記第２の位置関係で対面して第２の通気量を確保できる第２部材と、
前記第１部材と前記第２部材との間に挟まれたフィルタと、
を備えた通気量化変なフィルタ挟持体を螺合により取り付けたことを特徴とするマスク。
【００９８】
【発明の効果】
以上詳述したところから明らかなように、本発明によれば、簡易な構造でフィルタを操作することができ、水の浸入を防止しつつ通気又は通音を行い、筐体の内外の圧力差を調節することが可能となる。
【図面の簡単な説明】
【図１】従来の圧力差調節構造の第１の例を示す図である。
【図２】従来の圧力差調節構造の第１の例を示す分解斜視図である。
【図３】本発明に係る圧力差調節構造体の分解断面図である。
【図４】図３に示すフィルタ押え部材１０の平面図である。
【図５】図３に示すパッキン２０の平面図である。
【図６】図３に示すフィルタ３０の平面図である。
【図７】図３に示すフィルタ固定部材４０の平面図である。
【図８】図３に示すＯリング５０の平面図である。
【図９】本発明に係る圧力差調節構造体を筐体６０に形成された通気孔形成部６５に取り付ける際の状態を示す断面図である。
【図１０】本発明に係る圧力差調節構造体における通気性又は通音性の調節の手順を説明するための図である。
【図１１】本発明に係る圧力差調節構造体を適用した防護マスク装着検知器７０を備えた防護マスク９０の外観構成図である。
【図１２】本発明に係る圧力差調節構造体を適用した防護マスク装着検知器７０の側面図である。
【図１３】図１２に示す防護マスク装着検知器７０の缶７２の下部筐体７６を、図１２において矢印Ｄで示す方向に見た図である。
【図１４】図１２に示す防護マスク装着検知器７０の内部構造を説明するための図である。
【図１５】本発明に係る圧力差調節構造体の変形例を筐体６０に形成された第１通気孔形成部６５−１に取り付けた状態を示す断面図である。
【符号の説明】
１０                                          フィルタ押え部材
１２                                          雄螺子部
１３                                          把持部
１４                                          フィルタ押え部材の通気口
１５−１、１５−２、１５−３、１５−４、１５−５、１５−６  固定孔形成部
２０                                          パッキン
３０                                          フィルタ
４０                                          フィルタ固定部材
４４                                          フィルタ固定部材の通気口
４５−１、４５−２                            固定突起部
５０                                          Ｏリング
６０                                          筺体
６１                                          壁部
６５−１                                      第１通気孔形成部
６５−２                                      第２通気孔形成部
６６                                          雌螺子部
７０                                          防護マスク装着検知器
８０                                          覆面部
９０                                          防護マスク
【図１】
2004253656.tif 000003
【図２】
2004253656.tif 000004
【図３】
2004253656.tif 000005
【図４】
2004253656.tif 000006
【図５】
2004253656.tif 000007
【図６】
2004253656.tif 000008
【図７】
2004253656.tif 000009
【図８】
2004253656.tif 000010
【図９】
2004253656.tif 000011
【図１０】
2004253656.tif 000012
【図１１】
2004253656.tif 000013
【図１２】
2004253656.tif 000014
【図１３】
2004253656.tif 000015
【図１４】
2004253656.tif 000016
【図１５】
2004253656.tif 000017